(57)【要約】【課題】試験治具を用いて火災感知器の試験を行う検査員が火災受信機側で発報表示を確認することなく、熱、煙及びガスの検知による試験発報を発報表示灯により簡単且つ確実に把握可能とする。【解決手段】火災受信機１０から引き出された伝送路１６に、火災による熱温度、煙濃度及びガス濃度を検知する複合型の火災感知器１２を接続する。火災受信機１０により火災試験操作を検出した場合に火災感知器１２に試験モードを設定する。火災感知器１２は、試験モードの状態で、試験治具８４を用いて、熱温度の検知による発報試験、煙濃度の検知による発報試験及びガス濃度の検知による発報試験を行った場合に、各発報試験に対応して発報表示灯３０を相互に異なるように表示制御する。例えば火災感知器１２は、発報表示灯３０を、熱検知で１回点滅、煙検知で２回点滅、ガス検知で３回点滅を、所定の休止周期を空けて繰り返す。【選択図】図７
2020042862.tif 000002
【特許請求の範囲】
【請求項１】
火災による熱温度、煙濃度及びガス濃度の少なくとも２種類を含む複数の火災要素を検知する火災感知器と、
前記火災感知器と接続された火災受信機と、
を備えた火災報知システムに於いて、
前記火災感知器は、熱温度の検知、煙濃度の検知又はガス濃度の検知による試験発報の種別に応じて発報表示灯を所定の点灯時間と所定の点滅周期で１又は複数回の異なる回数点滅した後に所定の休止周期を空けて前記点滅を繰り返すことを特徴とする火災報知システム。
【請求項２】
火災による熱温度、煙濃度及びガス濃度の少なくとも２種類を含む複数の火災要素を検知する火災感知器と、
前記火災感知器と接続された火災受信機と、
を備えた火災報知システムの試験方法に於いて、
前記火災感知器は、熱温度の検知、煙濃度の検知又はガス濃度の検知による試験発報の種別に応じて発報表示灯を所定の点灯時間と所定の点滅周期で１又は複数回の異なる回数点滅した後に所定の休止周期を空けて前記点滅を繰り返すことを特徴とする火災報知システムの試験方法。
【発明の詳細な説明】
【技術分野】
【０００１】
本発明は、火災受信機からの伝送路に火災による煙濃度や温度に加え、ＣＯ等の火災時に発生するガスの濃度を検知して火災を検知する火災感知器を接続した火災報知システム及びその試験方法に関する。
【背景技術】
【０００２】
従来、火災を検出して発報信号を受信機に出力して火災警報を行わせる火災感知器としては、火災による煙を検知する煙感知器、火災による熱（温度）を検知する熱感知器が一般的に知られている。
【０００３】
しかし、温度又は煙濃度といった検知情報だけでは、燻焼火災や発火火災といった様々な火災状況に迅速且つ適切に対応することが困難な場合があることから、火災による煙濃度と温度を検知し、複合的な火災判断により、誤報や失報を起すことなく迅速に火災を検知する複合型の火災感知器が知られている。
【０００４】
一方、火災時にあっては、煙や熱の火災感知部以外に、ＣＯなどのガスが発生することが知られており、感知器にガスセンサを設け、煙濃度や熱温度と共にガス濃度を検知して火災を判定するようにした複合型の火災感知器も考えられている。
【先行技術文献】
【特許文献】
【０００５】
【特許文献１】特開２００６−２６８１１９号公報
【特許文献２】特開平１１−３１２２８６号公報
【特許文献３】特開２００５−２５１０３７号公報
【特許文献４】特開２００９−５２９１６９号公報
【特許文献５】特開２０１１−１４１６２９号公報
【発明の概要】
【発明が解決しようとする課題】
【０００６】
ところで、熱、煙及びガスを検知して火災を判断する複合型の火災感知器を火災受信機からの伝送路に接続した火災報知システムにあっては、定期点検の際に、点検員が試験治具を火災感知器にセットし、煙を流入して試験発報し、続いて、熱を加えて試験発報し、更にＣＯガスを流入して発報試験を行うようにしている。
【０００７】
複合型の火災感知器の試験に使用する試験治具は、煙検知試験のための発煙部、熱検知試験のための加熱部、及びガス検知試験のためのガスボンベを備えており、同じ火災感知器に試験治具をセットしたまま、発煙部、加熱部、ガスボンベに順次切り替えて試験発報を確認する。
【０００８】
このように試験治具を用いて煙、熱及びガスの発報試験を行うと、各試験発報に伴い火災感知器に設けている発報表示灯が点灯又は点滅し、また、試験発報電文が火災受信機に送信され、火災受信機は受信した発報電文から試験発報の種別と感知器アドレスを認識して表示し、火災感知器が正常に動作したことを確認可能としている。
【０００９】
しかしながら、試験治具を用いて火災感知器の発報試験を設置場所で行っている点検員は、火災感知器の発報表示灯が試験発報により点滅又は点灯することで、試験発報があったことは分かるが、試験治具を煙、熱、ガスに切替えて発報試験を行った場合、煙、熱、ガスを加えてから発報するまでには時間遅れがあり、試験発報で発報表示灯が例えば点滅しても、これが煙、熱、又はガスによるものかが分かり難く、火災受信機側に付いている別の点検員にトランシーバ等により連絡を取って確認する必要があり、警戒区域に設置している火災感知器を歩き渡りながら行うウォークテストモードとして知られた火災感知器の点検に手間と時間がかかる問題がある。
【００１０】
本発明は、試験治具を用いて火災感知器の試験を行っている点検員が火災受信機側での発報表示を確認することなく、煙、熱及びガスの検知による試験発報を発報表示灯により簡単且つ確実に把握可能とする火災報知システム及びその試験方法を提供することを目的とする。
【課題を解決するための手段】
【００１１】
（火災報知システム）
本発明は、火災による熱温度、煙濃度及びガス濃度の少なくとも２種類を含む複数の火災要素を検知する火災感知器と、
火災感知器と接続された火災受信機と、
を備えた火災報知システムに於いて、
火災感知器は、熱温度の検知、煙濃度の検知又はガス濃度の検知による試験発報の種別に応じて発報表示灯を所定の点灯時間と所定の点滅周期で１又は複数回の異なる回数点滅した後に所定の休止周期を空けて前記点滅を繰り返すことを特徴とする。
【００１２】
（火災報知システムの試験方法）
本発明は、火災による熱温度、煙濃度及びガス濃度の少なくとも２種類を含む複数の火災要素を検知する火災感知器と、
火災感知器と接続された火災受信機と、
を備えた火災報知システムの試験方法に於いて、
火災感知器は、熱温度の検知、煙濃度の検知又はガス濃度の検知による試験発報の種別に応じて発報表示灯を所定の点灯時間と所定の点滅周期で１又は複数回の異なる回数点滅した後に所定の休止周期を空けて前記点滅を繰り返すことを特徴とする。
【発明の効果】
【００１３】
（火災報知システムの効果）
本発明は、火災受信機から引き出された伝送路に、火災による煙濃度、熱温度やガス濃度を含む複数の火災要因を検知する感知器を接続した火災報知システムに於いて、火災受信機は火災試験操作を検出した場合に火災感知器に試験モードを設定し、火災感知器は、火災受信機により試験モードを設定した状態で、試験治具を用いて、複数の火災要素の検知による発報試験を行った場合に、各火災要素の発報試験に対応して発報表示灯を異なる態様で表示制御するようにしたため、点検員が試験治具を用いて警戒区域に設置している火災感知器について、例えば煙流入、加熱及び試験ガス流入となる試験操作を順番に行うと、煙検知による試験発報、熱検知による試験発報、及びガス検知による試験発報に対し火災感知器の発報表示灯が異なった態様により発報表示を行うことで、点検員は、煙、熱、ガスの何れによる試験発報かを簡単に知ることができ、火災受信機側と連絡をとって試験発報の種類を確認する必要がなく、火災受信機からの指示で試験モードが設定されている複数の火災感知器の発報試験（ウォークテストモードによる試験）を連続して行うことができ、火災感知器の点検作業を効率よく進めることを可能とする。また、煙濃度又は熱温度が所定閾値を超え、且つＣＯ濃度が所定閾値を超えたとき火災と判断する火災感知器、その他、ＣＯ濃度に応じて煙濃度や熱温度の閾値を変更して火災判断する感知器など、ＣＯ濃度のみでは火災判断しない感知器であっても、点検時にはＣＯ濃度のみの試験発報を行って、ＣＯ濃度に応じた試験発報表示を行うことができるので、点検員が火災感知器に備えた火災要素毎の試験を確実に行って、火災感知器の場所で試験結果を確認することができる。
【００１４】
（感知器発報試験の制御手順による効果）
また、火災受信機は、試験操作を検出した場合に、受信機試験モードを設定すると共に指定した火災感知器に試験開始電文を送信し、感知器試験モードを設定した火災感知器から試験発報電文を受信した場合に、試験発報電文を送信した火災感知器に点灯制御電文を送信し、更に、試験終了操作を検出した場合に試験終了電文を火災感知器に送信すると共に受信機試験モードの設定を解除し、一方、火災感知器は、火災受信機から試験開始電文を受信した場合に感知器試験モードを設定し、感知器試験モードの設定状態で試験治具を用いて複数の火災要素の検知による発報試験を行った場合に試験発報電文を火災受信機に送信し、火災受信機から点灯制御電文を受信した場合に、複数の火災要素の検知による試験発報を異なる態様で示すように発報表示灯を制御し、更に、火災受信機から試験終了電文を受信した場合に感知器試験モードを解除するようにしたため、感知器試験モードを設定した火災感知器を、試験治具を用いて複数の火災要素の検知、例えば煙濃度の検知、熱温度の検知又はガス濃度の検知による発報試験を連続的に行った場合、最初の火災要素の試験発報による発報表示灯の表示は、次の火災要素の試験発報に基づき停止して新たな試験発報の表示に切り替わり、複数の火災要素の試験発報が継続していても、常に、最新の試験発報に対応した発報表示灯の表示となることで、複数の火災要因による試験発報の順番に従った発報表示灯の異なる態様の表示により、複数の火災要因による試験発報を識別可能とする。
【００１５】
また、試験発報に基づく発報表示灯の表示制御は、火災感知器から試験発報電文を火災
受信機に送信し、火災受信機が試験発報電文の送信元の火災感知器に点灯制御電文を送信して発報表示灯を表示制御するため、火災感知器の試験発報による発報表示灯の表示は、試験発報した火災感知器と火災受信機との間で正常に電文の送受信が行われたことを意味し、試験発報に伴い火災受信機が正常に動作したことを同時に確認することができる。
【００１６】
（試験発報した火災感知器の消灯制御による効果）
また、火災受信機の受信制御部は、試験発報により発報表示灯を制御している火災感知器の台数を検出し、火災感知器の台数が所定数に達した場合、最も古い発報表示灯を制御中の火災感知器を指定して消灯制御電文を送信し、火災感知器の感知器制御部は、火災受信機から消灯制御電文を受信した場合に、発報表示灯の制御を停止するようにしたため、複数の火災感知器の発報試験を行って行くと、火災受信機の電源容量の許容範囲で決まる所定数の火災感知器までは試験発報により同時に発報表示灯が表示制御中となり、試験済みの火災感知器と試験をしていない火災感知器を簡単に区別可能とし、複数の点検員が同時に発報試験を行う場合に、火災感知器の発報試験を重複して行うことを防止可能とする。
【００１７】
また、火災受信機の受信制御部は、新たな火災感知器から試験発報電文を受信する毎に、それ以前の試験発報により発報表示灯を制御中の火災感知器を指定して消灯制御電文を送信し、火災感知器の感知器制御部は、火災受信機から消灯制御電文を受信した場合に、発報表示灯の制御を停止するようにしたため、複数の火災感知器を連続して試験して行く場合、ある火災感知器を試験すると、前回の発報試験を行って火災感知器の発報表示灯の制御が停止し、試験発報している火災感知器の発報表示灯の表示制御のみが行われ、発報表示灯の制御による消費電力を低減可能とする。
【００１８】
（点滅回数による試験発報表示による効果）
また、火災感知器は、複数の火災要素の検知による試験発報に応じて発報表示灯の点滅回数を異ならせるようにしたため、試験発報の種別と発報表示灯の表示内容との対応関係を容易に把握可能とする。
【００１９】
（点滅と休止の繰り返しによる煙、熱、ガスの試験発報表示による効果）
また、複数の火災要因は、煙濃度、熱温度、ＣＯ濃度であり、火災感知器は、煙濃度の検知、熱温度の検知又はガス濃度の検知による試験発報に応じて発報表示灯を１又は複数回点滅した後に所定の休止周期を空けて点滅を繰り返すようにしたため、発報表示灯の点滅回数による試験発報が切り替わる場合、所定の休止周期による空き時間が入ることで、所定の点滅回数の変化による試験発報の種別を簡単且つ確実に認識可能とする。
【００２０】
例えば、火災感知器は、煙濃度の検知、熱温度の検知又はガス濃度の検知による試験発報に応じて発報表示灯を所定の点滅周期で１回点滅、２回点滅又は３回点滅した後に所定の休止周期を空けて１回点滅、２回点滅又は３回点滅を繰り返すことで、１回点滅したら煙濃度検知の試験発報、２回点滅したら熱温度検知の試験発報、３回点滅したらガス検知による試験発報というように、所定の点滅回数の変化から複数の火災要素の試験発報を簡単且つ確実に識別可能とする。
【００２１】
（火災報知システムの試験方法による効果）
本発明の火災報知システムの試験方法による効果は、前述した火災報知システムの効果と実質的に同じになる。
【図面の簡単な説明】
【００２２】
【図１】本発明による火災報知システムの概略を示した説明図
【図２】火災受信機の機能構成を示したブロック図
【図３】制御電文にセットするコマンドとデータを一覧で示した説明図
【図４】熱、煙及びＣＯを検知する本発明による火災感知器の実施形態を示した説明図
【図５】図４の実施形態における感知器回路を示したブロック図
【図６】煙濃度、熱温度、ＣＯ濃度の検知による試験発報に対応した発報表示灯の表示制御を示したタイムチャート
【図７】火災報知システムにおけるウォークテストモードの概要を示した説明図
【図８】火災受信機の制御動作を示したフローチャート
【図９】火災感知器の制御動作を示したフローチャート
【図１０】図９に続く制御動作を示したフローチャート
【図１１】他の実施形態による火災受信機の制御動作を示したフローチャート
【発明を実施するための形態】
【００２３】
［火災報知システムの概要］
図１は本発明による火災報知システムの概略を示した説明図である。図１に示すように、火災報知システムは、火災受信機１０と複数の火災感知器１２から構成される。火災受信機１０からは施設の警戒区域に向けて伝送路１６が引き出され、伝送路１６に火災感知器１２を複数接続している。
【００２４】
火災感知器１２には固有のアドレスが設定されている。伝送路１６の１回線に対し例えば最大１２８アドレスを設定可能であり、これにより伝送路１６には最大１２８台の火災感知器１２が接続可能である。なお、伝送路１６の１回線当りの最大アドレス数は、必要に応じて２５６アドレス、５１２アドレスというように増加しても良い。また、警戒区域に設置した火災感知器１２の数が伝送路１６の最大アドレス数を超える場合は、伝送路１６の数を増やすことになる。
【００２５】
火災感知器１２は、火災による複数の火災要素となる例えば煙濃度、熱温度及びＣＯ濃度を検知した場合に、それぞれに対応した発報電文を火災受信機１０に送信する。火災受信機１０は、火災感知器１２から発報電文を受信すると、火災警報を出力すると共に、感知器アドレスに基づき発報場所を表示する。
【００２６】
火災受信機１０による通常モードの監視制御は、例えば次のようになる。火災受信機１０は、例えば１秒周期で、全ての火災感知器１２の共通アドレスを指定した一括ＡＤ変換電文を送信して、全ての火災感知器１２で煙濃度、熱温度およびＣＯ濃度の各火災要素の検知信号をＡＤ変換してメモリに保持させ、続いて火災感知器１２のアドレスを順次指定したポーリング電文を送信し、自己のアドレスを指定したポーリング電文に対しメモリに保持している煙濃度、熱温度およびＣＯ濃度の各データ又は各火災要素の発報状況を応答電文により火災受信機１０に送信して所定の処理を行わせている。
【００２７】
火災感知器１２は、煙濃度、熱温度およびＣＯ濃度の何れかが、それぞれに対応した閾値を超えた場合に火災発報を検知し、火災受信機１０に対し火災割込み電文を送信する。また、火災受信機１０からの電文により試験モードに設定された火災感知器は、試験治具で試験発報した場合には、煙濃度や熱温度の構成要素に応じた試験発報電文を火災受信機１０に送信する。なお、煙濃度又は熱温度が所定の閾値を超え、且つＣＯ濃度が所定の濃度を超えたときに火災と判断する方式の感知器でもよく、この場合であっても煙濃度検知部、熱温度検知部及びＣＯ濃度検知部の検知要素毎に試験発報させることができ、いずれかの検知出力が閾値を越えたときに火災受信機１０に検知要素に応じた試験発報信号を送出することができる。火災割込み電文を受信した火災受信機１０は、感知器アドレスの例えば下位４ビットを除く上位ビットによるグループアドレスを指定したグループ検索電文を送信し、火災発報グループを検索すると、グループ内の感知器アドレスを指定した検索電文を順次送信し、火災割込みを行った火災感知器のアドレスを特定し、火災発生場所を表示する。
【００２８】
火災報知システムは、定期的に点検を行っており、この点検項目の中に、点検員が試験治具を用いて警戒区域に設置した火災感知器１２の発報試験を行う項目があり、ウォークテストモードとして知られている。
【００２９】
本発明の火災報知システムにあっては、ウォークテストモードによる点検を行う場合、まず火災受信機１０の操作により火災感知器１２に試験モードを設定する。
【００３０】
図１の火災報知システムは、伝送路１６に複数の火災感知器１２、例えば１２８台の火災感知器１２を接続しており、火災受信機１０により全ての火災感知器１２に試験モードを設定した状態で、点検員が試験治具を用いて、煙濃度の検知による発報試験、熱温度の検知による発報試験及びＣＯ濃度の検知による発報試験を行った場合に、各発報試験に対応して発報表示灯を異なる態様で表示制御する。
【００３１】
このため点検員は、発報表示灯の試験発報に伴う表示を見ることで、煙濃度、熱温度又はＣＯ濃度の何れの検知による試験発報かを簡単に知ることができ、火災受信機側と連絡をとって試験発報の種類を確認する必要がなく、試験モードを設定している全ての火災感知器１２のウォークテストモードによる発報試験を連続して行うことを可能とする。
【００３２】
［火災受信機］
図２は火災受信機の機能構成を示したブロック図である。図２に示すように、火災受信機１０は、受信制御部１８を備え、受信制御部１８に対し伝送部２０、表示部２２、操作部２４、警報部２６及び移報部２８を設けている。
【００３３】
受信制御部１８は、例えばプログラムの実行により実現される機能であり、ハードウェアとしてはＣＰＵ、メモリ、各種の入出力ポート等を備えたワンチップ型のプロセッサ等を使用している。
【００３４】
受信制御部１８は、操作部２４による火災試験操作を検出した場合に、自己に受信機試験モードを設定すると共に、アドレス指定なし試験開始電文又は全ての火災感知器１２に共通な共通アドレスを指定した試験開始電文を伝送部２０に指示して送信する制御を行い、これにより伝送路１６に接続している全ての火災感知器１２に感知器試験モードを設定する。
【００３５】
また、受信制御部１８は、感知器試験モードを設定した火災感知器１２から試験発報電文を受信した場合に、試験発報電文に含まれている煙、熱又はＣＯの発報種別と発報アドレスを表示すると共に、試験発報電文を送信した火災感知器１２に点灯制御電文を送信する制御を行う。
【００３６】
また、受信制御部１８は、新たな火災感知器１２から試験発報電文を受信する毎に、それまでの試験発報により発報表示灯３０を制御している火災感知器１２の台数Ｎを計数し、計数した台数Ｎが所定の閾値Ｎｔｈに達した場合、発報表示灯３０の発光制御を行っている最も古い火災感知器１２を指定して消灯制御電文を送信し、発報表示灯３０の点灯制御を停止させる制御を行い、システムへの電源供給の安定性を確保する。ここで消灯制御電文を送信するための試験発報した火災感知器の閾値台数Ｎｔｈは、火災受信機１０の電源容量の許容範囲で定まる所定台数とする。
【００３７】
また、受信制御部１８は、火災感知器１２に対する消灯制御の他の実施形態として、新たな火災感知器１２から試験発報電文を受信する毎に、それ以前の試験発報により発報表
示灯３０を点灯制御中の火災感知器１２を指定して消灯制御電文を送信し、発報表示灯３０の点灯制御を停止させる消灯制御を行う。
【００３８】
また、受信制御部１８は、操作部２４による試験終了操作を検出した場合に、試験終了電文を全ての火災感知器１２に送信すると共に受信機試験モードの設定を解除する制御を行う。
【００３９】
ここで、火災受信機１０から火災感知器１２に送信する制御電文は、コマンド、アドレス、データ及びチェックサムを含む形式であり、例えば試験開始電文、試験終了電文、点灯制御電文及び消灯制御電文にセットするコマンドとデータは例えば図３の一覧に示すようになる。
【００４０】
図３において、例えば試験コマンドはコマンドコード（１７ｈ）であり、データとして開始データ（８１ｈ）を組み合わせることで、試験開始コマンドとなる。また、終了データ（８０ｈ）を組み合わせれば、試験終了コマンドとなる。ここで、ｈは２進４ビットの１６進コードを示している。また、コマンドコード及びデータの値は一例であり、必要に応じて適宜の値が設定される。
【００４１】
［火災感知器］
（火災感知器の構造）
図４は煙、熱及びＣＯを検知する本発明による感知器の実施形態を示した説明図であり、図４（Ａ）に天井面に対する取付状態で下側から見た斜視図を示し、図４（Ｂ）に側面図を、また図４（Ｃ）に下側から見た平面図を示している。
【００４２】
図４に示すように、火災感知器１２は、内部に収納された感知器本体と、その外側に配置されたカバー３２で構成される。カバー３２は、ほぼ円筒状の基台側の中央より下向きにチャンバー収納部３４を形成しており、チャンバー収納部３４の周囲には複数の煙流入口３６が開口されている。またカバー３２の取付側の側面の２箇所には発報表示灯３０が設けられている。発報表示灯３０には例えば赤と緑に発光する２色ＬＥＤを設けており、通常状態で火災受信機１０からのポーリングに対し緑色で点滅し、火災発報に対し赤色に点滅する。
【００４３】
チャンバー収納部３４の外側となるカバー３２の一部にはＣＯセンサ収納部３８が形成されており、ＣＯセンサ収納部３８の内部には、図４（Ｃ）に点線で示すように電気化学式のＣＯセンサ７４が組み込まれている。
【００４４】
ＣＯセンサ収納部３８のカバー３２の表面には開口穴４０が形成され、開口穴４０は内部のＣＯセンサ７４に対し火災に伴う熱気流で煙と共に流れてくるＣＯガスを取り込むようにしている。
【００４５】
チャンバー収納部３４の内部には散乱光式の検煙部が収納されており、発光素子からの光の煙流入口３６から流入した煙による散乱光を受光素子で検出して煙濃度検知信号を得るようにしている。
【００４６】
チャンバー収納部３４の周囲に形成した煙流入口３６の間に、下向きに突出して温度センサ７０を配置している。温度センサ７０としては、サーミスタや半導体式の温度センサなど適宜の温度センサを使用することができる。
【００４７】
（感知器回路部）
図５は図４の実施形態における感知器回路部を示したブロック図である。図５に示すよ
うに、感知器回路部はＳ端子とＳＣ端子を持ち、ここに火災受信機から引き出された伝送回線（電源兼用信号線）を接続している。
【００４８】
Ｓ，ＳＣ端子に続いてはノイズ吸収部５０が設けられ、感知器回線に生じたサージやノイズなどを吸収除去するようにしている。
【００４９】
続いて定電圧回路部５２が設けられ、伝送回線により供給された電源電圧を所定の電源電圧に変換して出力している。定電圧回路部５２からの電源電圧は発光部５４に供給している。定電圧回路部５２の電源電圧は、定電圧回路部６０でそれより低い一定電圧に変換され、受光部５６、受光増幅部５８、温度センサ７０、増幅部７２、感知器制御部６２、電気化学式ＣＯセンサ７４及び増幅部６４に電源を供給している。
【００５０】
発光部５４はＬＥＤ等の発光素子を間欠的に発光駆動する。受光部５６はフォトダイオード等の受光素子からの受光信号を出力し、微弱な受光信号を受光増幅部５８で増幅し、煙濃度に対応した煙検知信号Ｅ１を出力している。
【００５１】
感知器制御部６２としてはワンチップＣＰＵとして知られたプロセッサが使用されており、ＣＰＵ、ＲＡＭ、ＲＯＭ、Ａ／Ｄ変換ポート及び各種の入出カポートを備えている。
【００５２】
ＣＯセンサ７４は例えば３極電気化学式のＣＯセンサであり、センサ内に外気に接触する電解質溶液を充填し、電解質溶液に浸漬して作用電極、対向電極及び参照電極を離間配置している。
【００５３】
ＣＯセンサ７４の電解質溶液に外部からＣＯガスが接触すると、作用電極の近傍でＣＯガスの酸化作用に伴う電流が作用電極から流れ出す。この作用電極から流れ出す電流は、ＣＯセンサ７４に接触したＣＯガスのガス濃度に比例した電流となる。作用電極には増幅部６４が接続されており、作用電極からの電流入力に比例した電圧入力を反転増幅することで、ＣＯガス濃度がほぼ０ｐｐｍのときの定常電圧からガス濃度に応じて増加するＣＯ検知信号Ｅ２を出力する。
【００５４】
温度センサ７０からの検出信号は増幅部７２で増幅され、熱温度に応じた温度検知信号Ｅ３を出力する。
【００５５】
感知器制御部６２はＡＤ変換ポートにより受光増幅部５８からの煙検知信号Ｅ１を煙データに変換し、増幅部６４からのＣＯガスの検知信号Ｅ２をＣＯデータに変換し、更に、増幅部７２からの温度検知信号Ｅ３を温度データに変換する。
【００５６】
感知器制御部６２はＣＰＵによるプログラムの実行で実現される機能であり、通常監視状態では、ＡＤ変換ポートから読み込まれた煙データ、ＣＯデータ及び温度データに基づき、所定の火災判断手順に従って火災発報を判別する。また、感知器制御部６２は火災受信機１０からのポーリング電文を受信する毎に、発報表示灯３０に設けた２色ＬＥＤを緑色で点滅させる。
【００５７】
また、感知器制御部６２は火災受信機１０からの指示により感知器試験モードを設定すると、試験発報に伴う所定の試験制御を行う。
【００５８】
感知器制御部６２の出力側には伝送部６６が設けられている。伝送部６６はノイズ吸収部５０の出力側に接続されており、伝送回線を介して火災受信機１０との間で各種の電文をシリアル伝送により送受信する。
【００５９】
また、感知器制御部６２の出力側には表示駆動部８０を介して発報表示灯３０が設けられている。発報表示灯３０は感知器制御部６２による火災発報の判断に基づき点灯駆動される。また、感知器制御部６２に感知器試験モードが設定されている場合には、煙、熱又はＣＯによる試験発報の検知に基づき、発報内容に応じて異なった態様で表示制御される。
【００６０】
（火災感知器の試験制御）
感知器制御部６２は、火災受信機１０から伝送部６６を介して試験開始電文を受信した場合に感知器試験モードを設定し、通常監視モードにおける発報表示灯３０の緑色の点滅を中止し、感知器試験モードの設定状態で試験治具を用いて煙濃度の検知、熱温度の検知又はＣＯ濃度の検知による発報試験を行った場合に、試験発報電文を伝送部６６に指示して火災受信機１０に送信する制御を行う。
【００６１】
また、感知器制御部６２は、火災受信機１０から伝送部６６を介して点灯制御電文を受信した場合に、煙濃度の検知、熱温度の検知又はＣＯ濃度の検知による試験発報を示すように発報表示灯３０を異なる態様で表示制御する。
【００６２】
また、感知器制御部６２は、火災受信機１０から伝送部６６を介して試験終了電文を受信した場合に感知器試験モードを解除して通常監視状態に戻る制御を行う。
【００６３】
（発報表示灯の試験発報表示）
図６は火災感知器の煙濃度、熱温度、ＣＯ濃度の検知による試験発報に対応した発報表示灯の表示制御を示したタイムチャートであり、図６（Ａ）に煙検知の発報表示を示し、図６（Ｂ）に熱検知の発報表示を示し、図６（Ｃ）にＣＯ検知の発報表示を示している。
【００６４】
図６（Ａ）の煙検知による試験発報表示は、発報表示灯３０を点滅周期Ｔ１で点灯時間Ｔ３の点灯とその後の消灯により１回点滅し、続いて所定の休止周期Ｔ２を空け、これを繰り返す。
【００６５】
また、図６（Ｂ）の熱検知の試験発報表示は、発報表示灯３０を点滅周期Ｔ１で点灯時間Ｔ３の点灯とその後の消灯を２回繰り返して２回点滅し、続いて所定の休止周期Ｔ２を空け、これを繰り返す。
【００６６】
更に、図６（Ｃ）のＣＯ検知の試験発報表示は、発報表示灯３０を点滅周期Ｔ１で点灯時間Ｔ３の点灯しその後の消灯を３回繰り返して３回点滅し、続いて所定の休止周期Ｔ２を空け、これを繰り返す。
【００６７】
ここで、点滅周期Ｔ１は例えば１秒、休止周期Ｔ２は例えば３秒、発光時間Ｔ３は例えば１０ミリ秒としている。
【００６８】
このような発報表示灯３０の試験発報に対応した点滅回数の変化により、試験治具を用いて発報試験を行っている点検員は、１回点滅したら煙濃度の検知による試験発報、２回点滅したら熱温度の検知による試験発報、３回点滅したらＣＯ濃度の検知による試験発報であることを、簡単且つ容易に把握でき、火災受信機１０側と連絡を取ることなく、火災感知器１２の発報試験を行うことを可能とする。
【００６９】
［ウォークテストモードによる火災感知器の点検作業］
図７は火災報知システムにおけるウォークテストモードによる点検作業の概要を示した説明図、図８は火災受信機の制御動作を示したフローチャート、図９は火災感知器の制御動作を示したフローチャートである。
【００７０】
（点検作業の概要）
図７（Ａ）に示すように、火災感知器１２をウォークテストモードにより点検する場合、まず、火災受信機１０の操作により全ての火災感知器１２に感知器試験モードを設定し、この状態で点検員８２は試験治具８４を適宜の火災感知器１２にセットし、試験治具８４の操作により、火災感知器１２を加熱する試験、煙を流入させる試験、及びＣＯガスを流入させる試験を行う。
【００７１】
このような試験治具８４を用いた試験操作に対し、火災感知器１２が煙、熱、ＣＯの何れかの検知による試験発報を行うと、火災感知器１２に設けている発報表示灯３０が周期的に点滅し、１回点滅したら煙濃度の検知による試験発報、２回点滅したら熱温度の検知による試験発報、３回点滅したらＣＯ濃度の検知による試験発報であることが分かる。
【００７２】
このようにして最初の火災感知器１２の点検が終了したら、図７（Ｂ）に示すように、次の火災感知器１２に移動し、試験治具８４を同様にセットして試験操作を行う。
【００７３】
ここで、試験を行った火災感知器１２の発報表示灯３０は、火災感知器１２の試験台数Ｎが所定数Ｎｔｈに達するまでは、試験を行った全ての火災感知器１２の発報表示灯３０が同時発光しており、次の火災感知器１２の発報試験を行うと、発光した時点が最も古い火災感知器１２の中の発光が停止する。
【００７４】
［点検作業に伴う試験制御］
図８は火災受信機の制御動作を示したフローチャート、図９は火災感知器の制御動作を示したフローチャートであり、図８及び図９を参照して火災報知システムのウォークテストモードによる点検作業に伴う火災受信機と火災感知器の制御動作を説明すると次のようになる。
【００７５】
（火災受信機の制御）
図８に示すように、火災受信機１０の受信制御部１８は、ステップＳ１で通常モードによる火災監視を行っており、点検員が点検作業に先立ち、火災受信機１０で試験操作を行うと、これがステップＳ２で判別され、ステップＳ３で火災受信機１０は試験モードを設定し、続いてステップＳ４で試験開始電文を全ての火災感知器１２に対し送信する。
【００７６】
この状態で点検員が火災感知器１２の設置場所に出向き、試験治具を用いて発報試験を行ったとすると、ステップＳ５で火災感知器１２からの試験発報電文を受信し、ステップＳ６で煙、熱又はＣＯの試験発報を表示する。
【００７７】
続いてステップＳ７で新たな火災感知器１２の試験発報であることを試験発報電文に含まれた感知器アドレスから判別するとステップＳ８に進み、試験発報した感知器アドレスを指定した点灯制御電文を火災感知器１２に送信する。
【００７８】
続いて、ステップＳ１０に進み、発報試験により発報表示灯３０を同時に点灯制御中の感知器台数Ｎを計数し、ステップＳ１０で同時点灯制御中の感知器台数Ｎが閾値Ｎｔｈ未満の場合はステップＳ１１をスキップするが、同時点灯制御中の感知器台数Ｎが閾値Ｎｔｈに達した場合はステップＳ１１で最も古い点灯制御中の火災感知器のアドレスを指定した消灯制御電文を送信する。
【００７９】
続いて、ステップＳ１２で試験終了操作を検出するまではステップＳ５からの処理を繰り返し、ステップＳ１２で試験終了操作を検出するとステップＳ１３に進んで試験終了電文を全ての火災感知器に送信し、続いてステップＳ１４で試験モードを解除してステップ
Ｓ１の通常モードでの火災監視に戻る。
【００８０】
（火災感知器の制御）
図９に示すように、火災感知器１２の感知器制御部６２は、ステップＳ２１で通常モードによる煙、熱及びＣＯの監視を行っている。この通常モードによる監視中に、ステップＳ２２で火災受信機１０が送信した試験開始電文の受信を検出すると、ステップＳ２３で試験モードを設定する。
【００８１】
試験モードの設定状態で点検員が火災感知器１２の設置場所に出向き、試験治具を用いて発報試験を行ったとすると、火災感知器１２の感知器制御部６２はステップＳ２４で試験発報を検出し、ステップＳ２５で試験発報を行った煙、熱またはＣＯの火災要素に対応した試験発報電文を火災受信機１０に送信する。
【００８２】
続いてステップＳ２６で火災受信機１０からの点灯制御電文の受信を検出するとステップＳ２７に進み、ステップＳ２７で煙試験発報を判別した場合はステップＳ２８に進んで発報表示灯３０の１回点滅を周期的に繰り返す表示制御を行い、煙検知による試験発報を表示する。
【００８３】
また、ステップＳ２９で熱試験発報を判別した場合はステップＳ３０に進んで発報表示灯３０の２回点滅を周期的に繰り返す表示制御を行い、熱検知による試験発報を表示する。また、ステップＳ３１でＣＯ試験発報を判別した場合はステップＳ３２に進んで発報表示灯３０の３回点滅を周期的に繰り返す表示制御を行い、ＣＯ検知による試験発報を表示する。
【００８４】
続いて図１０のステップＳ３３で次の試験発報を検出すると、ステップＳ３４で試験発報電文を送信し、この場合、ステップＳ２６で点灯制御電文を既に受信していることから、ステップＳ３５に進み、煙試験発報を判別した場合はステップＳ３６に進んで発報表示灯３０の１回点滅を周期的に繰り返す表示制御を行い、煙検知による試験発報を表示する。
【００８５】
また、ステップＳ３７で熱試験発報を判別した場合はステップＳ３８に進んで発報表示灯３０の２回点滅を周期的に繰り返す表示制御を行い、熱検知による試験発報を表示する。また、ステップＳ３９でＣＯ試験発報を判別した場合はステップＳ４０に進んで発報表示灯３０の３回点滅を周期的に繰り返す表示制御を行い、ＣＯ検知による試験発報を表示する。
【００８６】
続いてステップＳ４１で消灯制御電文の受信を検出するまではステップＳ４２をスキップしてステップＳ４３に進み、ステップＳ４３で試験終了電文の受信を検出するまではステップＳ３３からの処理を繰り返している。
【００８７】
ステップＳ４１で消灯制御電文の受信を検出するとステップＳ４２に進み、発報表示灯３０の点灯制御を停止する。また、ステップＳ４３で試験終了電文の受信を検出すると、ステップＳ４４に進んで試験モードを解除し、ステップＳ２１の通常モードによる煙、熱及びＣＯの監視に戻る。
【００８８】
（火災受信機制御の他の実施形態）
図１１は火災受信機の他の実施形態による制御動作を示したフローチャートである。図１１において、ステップＳ１〜Ｓ８及びステップＳ１２〜１４は図８の制御動作と同じであるが、図８のステップＳ９〜Ｓ１１に代えて、図１１はステップＳ８１の処理としたことを特徴とする。
【００８９】
即ち、図１１の制御動作は、ステップＳ７で新たな火災感知器の発報試験を検出し、ステップＳ８で試験発報した火災感知器を指定して点灯制御電文を送信した後に、ステップＳ８１で前回に試験発報した火災感知器を指定して消灯制御電文を送信する制御を行う。
【００９０】
このため複数の火災感知器の発報試験を連続して行っていく場合、図７（Ｂ）に示したように、２番目の火災感知器の発報試験を行うと、図７（Ａ）に示した最初に試験発報を行った火災感知器１２の発報表示灯３０の点滅が火災受信機１０から送信された消灯制御電文により停止する。これにより複数の火災感知器１２の発報試験を連続して行う場合、現在、試験発報を行っている火災感知器１２の発報表示灯３０のみが試験発報した火災要素に応じた回数で点滅することになる。
【００９１】
［本発明の変形例］
上記の実施形態は、複数の火災要素として、煙濃度、熱温度、ＣＯ濃度を検知して発報する火災感知器の試験を例にとっているが、煙濃度とＣＯ濃度を検知して発報する火災感知器についても、煙検知による試験発報で発報表示灯を周期的に１回点滅し、ＣＯ検知による試験発報で発報表示灯を周期的に２回点滅するようにしても良い。
【００９２】
また、上記の実施形態は、火災感知器の試験発報を、煙、熱及びＣＯの順番に行っているが、この順番は適宜でよく、また、煙、熱及びＣＯの全ての火災要素の発報試験を行なわずに一部の火災要素の発報試験を行っても良い。
【００９３】
また、煙、熱、ＣＯの検知による試験発報の表示としては、発報表示灯の周期的な点滅回数を変化させる以外に、点灯時間を変化させたり、ＬＥＤの表示色を変化させるといった異なる表示態様であれば、適宜の表示形態とすることができる。
【００９４】
また、上記の火災感知器の発報試験は、伝送路に接続した全ての火災感知器を指定して発報試験を行っているが、火災感知器を設置した警戒区域を複数のゾーンに分け、ゾーン単位に火災感知器を指定して発報試験を行うようにしても良いし、任意の火災感知器の台数単位に指定して火災試験を行っても良い。
【００９５】
また、煙、熱、ＣＯの３種類に限らず、多種類の火災要素を検知する火災感知器であればよい。
【００９６】
また本発明は、その目的と利点を損なうことのない適宜の変形を含み、更に上記の実施形態に示した数値による限定は受けない。
【符号の説明】
【００９７】
１０：火災受信機
１２：火災感知器
１６：伝送路
１８：受信制御部
２０，６６：伝送部
２２：表示部
２４：操作部
２６：警報部
２８：移報部
３０：発報表示灯
３２：カバー
５４：発光部
５６：受光部
６２：感知器制御部
７０：温度センサ
７４：ＣＯセンサ
８０：表示駆動部
８４：試験治具
【図１】
2020042862.tif 000003
【図２】
2020042862.tif 000004
【図３】
2020042862.tif 000005
【図４】
2020042862.tif 000006
【図５】
2020042862.tif 000007
【図６】
2020042862.tif 000008
【図７】
2020042862.tif 000009
【図８】
2020042862.tif 000010
【図９】
2020042862.tif 000011
【図１０】
2020042862.tif 000012
【図１１】
2020042862.tif 000013